(57)【要約】【課題】    本発明は、ティーバッグの使用中に、ティーバッグの糸およびタグが容器の湯中に落下するのを防止することができる、ティーバッグの係止具および両面テープ付ティーバッグを提供することを目的とする。【解決手段】    ティーバッグの係止具９は、湯２等を収容する容器１へ取り付けるための粘着部１０を有する取付部１１と、この取付部１１に設けられ、ティーバッグ５の糸８またはタグ７を係止する係止部１２とを備えているものである。【選択図】    図１
2006230646.tif 000002
【特許請求の範囲】
【請求項１】
湯等を収容する容器へ取り付けるための粘着部を有する取付部と、
この取付部に設けられ、ティーバッグの糸またはタグを係止するための係止部とを備
えてなることを特徴とするティーバッグの係止具。
【請求項２】
粘着部は、繰り返し使用できる再剥離性接着剤で形成するようにしたことを特徴とする請求項１記載のティーバッグの係止具。
【請求項３】
湯等を収容する容器の周壁を、弾性的にくわえ込み係止するようにした周壁支持部
材を有する取付部と、
この取付部に設けられ、ティーバッグの糸またはタグを係止するための係止部とを備
えてなることを特徴とするティーバッグの係止具。
【請求項４】
湯等を収容する容器の開口端部を、くわえ込み係止するようにした端部支持部材を
有する取付部と、
この取付部に設けられ、ティーバッグの糸またはタグを係止するための係止部とを備
えてなることを特徴とするティーバッグの係止具。
【請求項５】
ティーバッグのタグに両面テープを接着するようにしたことを特徴とする両面テープ
付ティーバッグ。
【発明の詳細な説明】
【技術分野】
【０００１】
本発明は、ティーバッグの係止具および両面テープ付ティーバッグに関するもので、
詳しくは、ティーバッグの使用中に、ティーバッグの糸およびタグが容器の湯中に落下す
るのを防止することができる、ティーバッグの係止具および両面テープ付ティーバッグに
関する。
【背景技術】
【０００２】
従来の、ティーバッグの使用中における糸およびタグの湯中への落下を防止する手段
としては、湯等を収容する容器と蓋とからなる蓋付容器の蓋に溝を設け、蓋を容器に被
せた状態において、溝内にティーバッグの糸を挿入することにより、タグを蓋上面に係止
させるようにしたものがある（例えば特許文献１参照）。
【０００３】
しかし、この防止手段では、容器を蓋付容器という特定の容器にしなければならなく
、限られたものに限定されてしまう。つまり、実用に供されている容器は使用する用途に
応じて、いろいろな形式、種類の容器があり、蓋付容器以外の、これらの他の容器に対し
ては、このティーバッグの糸およびタグの落下を防止させる手段は、適用できない問題点があった。
【特許文献１】実用新案登録第３０３８２９３号  公報
【発明の開示】
【発明が解決しようとする課題】
【０００４】
本発明は、前記した問題点を解決するためになされたもので、簡単な構成で、操作も
容易にでき、しかも容器の種類に限定されることなく、ティーバッグの使用中における糸
およびタグの湯中への落下を防止できるようにした、ティーバッグの係止具および両面テ
ープ付ティーバッグを提供することを目的とする。
【課題を解決するための手段】
【０００５】
前記した問題を解決するための本発明の手段は、湯等を収容する容器へ取り付けるための粘着部を有する取付部と、この取付部に設けられ、ティーバッグの糸またはタグを係止するための係止部とを備えてなるものである。
【０００６】
また、請求項２記載のティーバッグの係止具は、請求項１記載のティーバッグの係止具において、粘着部は、繰り返し使用できる再剥離性接着剤で形成するようにしたものである。
【０００７】
また、請求項３記載のティーバッグの係止具は、湯等を収容する容器の周壁を、弾性的にくわえ込み係止するようにした周壁支持部材を有する取付部と、この取付部に設けられ、ティーバッグの糸またはタグを係止するための係止部とを備えてなるものである。
【０００８】
また、請求項４記載のティーバッグの係止具は、湯等を収容する容器の開口端部を、くわえ込み係止するようにした端部支持部材を有する取付部と、この取付部に設けられ、ティーバッグの糸またはタグを係止するための係止部とを備えてなるものである。
【０００９】
さらに、請求項５記載の両面テープ付ティーバッグは、ティーバッグのタグに両面テープを接着するようにしたものである。
【発明の効果】
【００１０】
請求項１記載のティーバッグの係止具によれば、容器へ取り付けるための粘着部を有
する取付部と、この取付部に設けられ、ティーバッグの糸またはタグを係止するための係
止部とを設け、ティーバッグの係止具を構成するようにしたため、簡単な構成で、操作も
容易にでき、しかも容器の種類に限定されることなく、ティーバッグの使用中における、
糸およびタグの湯中への落下を防止することができる。
【００１１】
また、請求項２記載のティーバッグの係止具によれば、粘着部は、繰り返し使用できる再剥離性接着剤で形成するようにしたため、係止具の着脱操作をすることにより、係止具を継続して使用することができる。
【００１２】
また、請求項３記載のティーバッグの係止具によれば、容器の周壁を、弾性的にくわえ込み係止するようにした周壁支持部材を有する取付部と、この取付部に設けられ、ティーバッグの糸またはタグを係止するための係止部とを設け、ティーバッグの係止具を構成するようにしたため、係止具を、容器に対して取付部の着脱操作をするだけの簡単な操作により、継続して何回でも使用できる。
【００１３】
また、請求項４記載のティーバッグの係止具によれば、容器の開口端部を、くわえ込み係止するようにした端部支持部材を有する取付部と、この取付部に設けられ、ティーバッグの糸またはタグを係止するための係止部とを設け、ティーバッグの係止具を構成するようにしたため、係止具を容器に対して、取付部の着脱操作をするだけの簡単な操作により継続して何回でも使用できる。
【００１４】
さらに、請求項５記載の両面テープ付ティーバッグによれば、ティーバッグのタグに両面テープを接着して、両面テープ付ティーバッグを構成するようにしたため、両面テープを介してタグを容器に取り付けるだけの極めて簡単な構成、操作により、ティーバッグの使用中における、糸およびタグの湯中への落下を防止できる。
【実施例】
【００１５】
以下、本発明のティーバッグの係止具および両面テープ付ティーバッグの一実施例に
ついて、図面に従って説明する。
図１、図２において、１は陶器、合成樹脂などで形成され、内部に湯２等を収容する有底円筒状の容器である。３は、この容器１の周壁４に設けた把手である。また、５はティーバッグで、このティーバッグ５は、内部に紅茶等の物質を入れた濾袋６と、一端をこの濾袋６に、他端をタグ７に各々連結した糸８とからなる。
さらに、９はティーバッグの係止具で、このティーバッグの係止具９は、湯２等を収容する容器１へ取り付けるための粘着部１０を有する取付部１１と、この取付部１１に設けられ、ティーバッグ５の糸８またはタグ７を係止するための係止部１２とを備えてなる。このティーバッグの係止具９は合成樹脂などで形成される。また、係止部１２は、一端側１３を取付部１１に一体的に形成されると共に、他端側１４を開放し、取付部１１との間に間隙１５が存するように形成され、薄肉に形成することにより弾性を有するようにしてある。この間隙１５は開放する他端側１４からティーバッグ５の糸８またはタグ７を挿入した際、この間隙１５内で、係止部１２により係止されるような寸法にしてある。一方、前記取付部１１の粘着部１０は、例えば、繰り返し使用できるように、再剥離性接着剤で形成している。
【００１６】
また、ティーバッグの係止具９は、上述の実施例（図１及び図２）と同一部分に同一符号を付して示す図３、図４に示すように、テレビ等の人気キャラクター１６を描いたラベル１７を接着剤１８を介して容器１の周壁４に貼付し、このラベル１７の部分にティーバッグの係止具９を取り付けるようにしてもよい。これによれば、その商品効果を向上できる。なお図示しないが、このキャラクタ１６は、係止具９の取付部１１を大きめに形成させ、この取付部１１に直接描くようにしてもよい。
【００１７】
以上のように構成するティーバッグの係止具の作用について説明する。ティーバッグ
５を使用する場合は、まずティーバッグの係止具９を容器１の周壁４の適宜箇所に、粘着
部１０により接着させ取り付ける。そしてティーバッグ５の濾袋６を、容器１の湯２中に入れる。次いで糸８の中途部を容器１の開口端部１９に掛け、タグ７の近傍の糸８を間隙１５内に挿入する。これにより糸８は係止部１２により係止される。そして、ティーバッグ５の使用中における糸８およびタグ７の湯中への落下を防止することができる。また、この状態を継続保持することにより、濾袋６の内部の紅茶成分を湯２中に溶出させ、湯は紅茶として飲用できる状態になる。また、紅茶成分の溶出を促進させるために、糸８の中途を持って濾袋６を湯２中で揺り動かす場合には、糸８を係止部１２から外せば操作が容易となる。なお、糸８は間隙１５内に挿入すると同時に係止部１２に軽く巻き付けてもよい。また、糸８ではなく、タグ７を間隙１５内に挿入し、係止部１２で係止させるようにしてもよい。そして、紅茶を飲む場合は、係止部１２から糸８またはタグ７を外し、ティーバッグ５を湯２中から出して別の所定場所へ移す。また係止具９も、粘着部１０の粘着力に抗して容器１から取り外す。しかし係止具９は小さなものであるため、外さずに装着させたままの状態であっても勿論支障は生じない。
【００１８】
また、上述した実施例（図１乃至図４）と同一部分に同一符号を付して示す図５乃至図８は、ティーバッグの係止具９の異なった形態を示すものである。つまり、係止具９を容器１に取り付けるための手段を異なるものとしたものである。図５、図６において、１１は取付部で、この取付部１１は容器１の周壁４に合致するよう円弧状に形成し、弾性を有するように形成する周壁支持部材２４を有する。そして係止具９は弾性力を利用し、図６に矢印で示すように容器１の周壁４に、この周壁４を周壁支持部材２４を介して弾性的にくわえ込むように嵌め込まれ係止固定される。また、外すには、取付部１１の周壁支持部材２４の開放側２０をおし広げ容器１から外される。１２は、この取付部１１に複数個設けられた係止部で、これは、ティーバッグ５を複数個使用したり、あるいは１つのティーバッグ５の場合には、任意の最適な位置を選択し係止できるようにしてもよいことを示すものである。
【００１９】
次に、図７、図８の形態を説明する。１１は取付部で、この取付部１１は容器１の開
口端部１９をくわえ込み係止するように、略逆Ｕ字状に形成した端部支持部材２５を有す
る。そして容器１の開口端部１９に、この開口端部１９をくわえ込むように嵌め込まれる
。外すには取付部１１の端部支持部材２５を上方に持ち上げて開口端部１９から外す。な
お１２は、この取付部１１を延出させ折曲形成する係止部で、ティーバッグ５の糸８、タ
グ７の湯中への落下を防止させる際、糸８を係止部１２に巻き付け係止させる。なお端部
支持部材２５は弾性を有するように形成させ、開口端部１９に、この端部支持部材２５を
弾性的に嵌め込むようにしてもよい。
従って、図５乃至図８に示す形態によれば、係止具９を容器１に対して着脱操作するように構成させることにより、取付部１１に粘着部１０を設けることが不要となり、係止具９を継続して何回でも使用できる。
【００２０】
さらに、上述した実施例（図１乃至図８）と同一部分に同一符号を付して示す図９乃至図１１は、両面テープ付ティーバッグの一実施例を示すものである。つまり、ティーバッグ５の糸８に連結されたタグ７に、両面テープ２１を接着するようにしたものである。２２は両面テープ２１の粘着テープ部で、２３はこの粘着テープ部２２を覆う剥離紙である。ティーバッグ５を使用する場合は、この両面テープ２２の剥離紙２３をとり、容器１の周壁４の適宜箇所に両面テープ２１を介してタグ７を接着し取り付ける。これにより、タグ７を容器１に取り付けるだけの簡単な構成、操作により、ティーバッグ５の使用中における糸８またはタグ７の湯中への落下を防止できる。
【図面の簡単な説明】
【００２１】
【図１】図１は、本発明の一実施例のティーバッグの係止具の使用状態を一部を切り欠いて示す概略的斜視図である。
【図２】図２は、図１のＡ−Ａ線に沿って切断した概略的断面図である。
【図３】図３は、図１記載のティーバッグの係止具の使用形態を異にするティーバッグの係止具の使用状態を示す概略的斜視図である。
【図４】図４は、図３のＢ−Ｂ線に沿って切断した概略的断面図である。
【図５】図５は、図３のティーバッグの係止具と異なるティーバッグの係止具の概略的平面図である。
【図６】図６は、図５のティーバッグの係止具の使用状態を示す概略的斜視図である。
【図７】図７は、図５のティーバッグの係止具と異なるティーバッグの係止具の概略的斜視図である。
【図８】図８は、図７のティーバッグの係止具の使用状態を示す概略的断面図である。
【図９】図９は、本発明の一実施例である両面テープ付ティーバッグの概略的斜視図である。
【図１０】図１０は、図９の両面テープ付ティーバッグの取付状態を示す要部の概略的断面図である。
【図１１】図１１は、図９の両面テープ付ティーバッグの使用状態を示す概略的斜視図である。
【符号の説明】
【００２２】
１        容器
５        ティーバッグ
７        タグ
８        糸
９        ティーバッグの係止具
10        粘着部
11        取付部
12        係止部
19        開口端部
21        両面テープ
【図１】
2006230646.tif 000003
【図２】
2006230646.tif 000004
【図３】
2006230646.tif 000005
【図４】
2006230646.tif 000006
【図５】
2006230646.tif 000007
【図６】
2006230646.tif 000008
【図７】
2006230646.tif 000009
【図８】
2006230646.tif 000010
【図９】
2006230646.tif 000011
【図１０】
2006230646.tif 000012
【図１１】
2006230646.tif 000013